(57)【特許請求の範囲】
【請求項１】
自立可能な本体と、上記本体に形成され硬貨を投入する硬貨投入口と、上記本体の内側に形成され上記硬貨投入口に連続する斜面であり硬貨が略水平な状態で通過する硬貨通路と、上記硬貨通路の両側縁部に沿って形成され上記硬貨通路を所定の硬貨の直径よりもわずかに大きい幅に規制する一対のガイド部と、上記硬貨通路の中央にこの硬貨通路に沿って長細く形成され所定の硬貨の直径よりもわずかに小さい幅を有する透孔と、上記硬貨通路が上記透孔により切り残されて形成され上記一対のガイド部に連続するヘリ部と、上記透孔の下に形成され傾斜した排出斜面と、上記排出斜面の先に連続し上記本体の外側へ通じている返却口と、上記硬貨通路の上方に位置する部材に設けられ上記硬貨通路に向かって突出しその先端は上記硬貨通路を通過する硬貨のわずかに上方且つ硬貨の中心に向かって突出する選別用突起が設けられた硬貨識別装置において、
上記硬貨通路は百円硬貨の直径よりわずかに広い幅であり、上記透孔は百円硬貨の直径よりわずかに小さく五円硬貨の直径より僅かに大きく形成され、上記選別用突起の先端は、上記五円硬貨中央の穴に係合可能な大きさであることを特徴とする硬貨識別装置。
【請求項２】
上記選別用突起は棒状であり、上記硬貨通路側に位置する先端には上記選別用突起の直径より小さい直径の半球状の小突起が形成され、上記五円硬貨中央の穴内に当接可能であることを特徴とする請求項１記載の硬貨識別装置。
【発明の詳細な説明】
【０００１】
【発明の属する技術分野】
この発明は、卓上に置かれる小形の占いゲーム機等、硬貨を投入する機械に設けられる硬貨識別装置に関する。
【０００２】
【従来の技術】
従来、例えば飲食店等の卓上に置かれかれる小形の占いゲーム機があった。このような占いゲーム機は、自立可能な本体と、本体の上方に取り付けられた中空の収容部材と、上記収容部の内側に入れられ運勢が各々記入された紙片が収容される容器と、上記本体に形成され硬貨を投入する硬貨投入口と、上記硬貨投入口に硬貨を投入すると上記容器が一つ出る取出口が設けられている。そして、上記容器を取出口から出すときに操作するレバーが設けられている。
【０００３】
この占いゲーム機の硬貨識別装置は、上記本体の、硬貨投入口の内側に、硬貨投入口に連続する斜面である硬貨通路が設けられている。この硬貨通路の両側縁部には、所定の硬貨の直径よりもわずかに大きい幅で位置する一対のガイド部が設けられている。そして硬貨通路の途中には、硬貨通路の底面に所定の硬貨よりも小さい硬貨が落下する透孔が、硬貨通路の両側面に連続するわずかなヘリ部を切り残して形成されている。透孔の下には、傾斜した排出斜面が形成され、排出斜面は本体の外側へ通じている返却口に連続している。そして硬貨通路の先には通過硬貨入口筒が形成され、通過硬貨入口筒に硬貨が入ると占いゲーム機が作動する機構が設けられている。
【０００４】
この占いゲーム機の硬貨識別装置は、所定金額の硬貨を硬貨投入口に投入し、所定金額の硬貨が硬貨通路を通過して硬貨収容部に入る。このとき、所定金額の硬貨より大きい硬貨は硬貨通路に入らず、また所定金額の硬貨より小さい硬貨は硬貨通路に設けられた透孔に落下し、返却口から戻る。これにより、所定金額の硬貨が選択的に取り入れられる。そして、占いゲーム機のレバーを動かすと、取出口から運勢が記録された紙片が入れられた容器が１個出てくる。そして、この紙片に記録された運勢を読み、その人の運勢を占う。
【０００５】
【発明が解決しようとする課題】
上記従来の技術の硬貨識別装置の場合、所定の硬貨を百円玉に設定する場合、十円玉は大きく一円玉や五十円玉は小さいため、簡単に百円玉と区別することができる。しかし五円玉は百円玉より直径の差が約０．５ｍｍとわずかに小さいため、五円玉が硬貨通路を通過して硬貨収容部に入り、百円玉が投入された場合と同様に運勢が記録された紙片が入れられた容器が出てくることがあった。
【０００６】
この発明は上記従来の問題点に鑑みてなされたものであり、大きさのわずかに異なる硬貨を確実に区別することができる硬貨識別装置を提供することを目的とする。
【０００７】
【課題を解決するための手段】
この発明は、自立可能な本体と、上記本体に形成され硬貨を投入する硬貨投入口と、上記本体の内側に形成され上記硬貨投入口に連続する斜面であり略水平な状態で硬貨が通過する硬貨通路と、上記硬貨通路の両側縁部に形成され所定の硬貨の直径よりもわずかに大きい幅に位置する一対のガイド部と、上記硬貨通路の中央に形成され所定の硬貨の直径よりもわずかに小さい幅を有しこの硬貨通路に沿って長細く形成された透孔と、上記透孔の両側にこの硬貨通路が切り残されたヘリ部と、上記透孔の下に形成され傾斜した排出斜面と、上記排出斜面の先に連続し上記本体の外側へ通じている返却口と、上記硬貨通路の上方に位置する部材に設けられ上記硬貨通路に向かって突出しその先端は上記硬貨通路を通過する硬貨のわずかに上方にそして硬貨の中心に向かって達する選別用突起が設けられ、上記硬貨通路は百円硬貨の直径よりわずかに広い幅であり、上記透孔は百円硬貨の直径よりわずかに小さく五円硬貨の直径より僅かに大きく形成され、上記選別用突起の先端は、上記五円硬貨中央の穴に係合可能な大きさである硬貨識別装置である。
【０００８】
また、上記選別用突起は棒状であり、上記硬貨通路側に位置する先端には上記選別用突起の直径より小さい直径の半球状の小突起が形成され、上記五円硬貨中央の穴内に当接可能なものである。
【０００９】
この発明の硬貨識別装置は、所定の硬貨である百円玉よりわずかに小さい五円玉が硬貨投入口に入れられた場合、五円玉が勢いよく投入され硬貨通路から少し浮いた状態となり透孔の上を通過してしまうことを防ぐため、五円玉の先に行く側縁部が選別用突起に当接し、五円玉の先が下向きになるように回転する。そして、五円玉の中央の穴が選別用突起に当たり、五円玉の通過速度を落とし、硬貨通路に落とす。さらに硬貨通路に形成された透孔から落下し、排除される。
【００１０】
【発明の実施の形態】
以下、この発明の実施形態について図面に基づいて説明する。図１〜図５はこの発明の一実施形態を示すもので、この実施形態の硬貨識別装置は占いゲーム機１０に利用したもので、卓上に置かれる円柱状の本体１２が設けられ、本体１２の下面には卓上に安定して当接する円板状の脚部１４が設けられている。
【００１１】
本体１２の側面には、水平なスリット状の硬貨投入口１６が形成されている。そして、硬貨投入口１６の内側には、後述するスペーサ３０を取り付けるスペーサ取付部材１８が取り付けられている。スペーサ取付部材１８は、図４に示すように本体１２の底部にねじ等で取り付けられる取付部２０が設けられている。取付部２０の近傍には円筒状の通過硬貨入口筒２２が一体に形成されている。通過硬貨入口筒２２は、本体１２に取り付けられたとき、その軸がほぼ垂直に位置するように形成されている。通過硬貨入口筒２２の横には、通過硬貨入口筒２２から離れるに従い下へ向かう傾斜面である排出斜面２４が一体に形成されている。そして排出斜面２４の両側縁部には、一対のガイド壁部２６が一体に形成されている。一対のガイド壁２６の上面２８は、排出斜面２４と逆の傾斜面、つまり通過硬貨入口筒２２から離れるに従い上に向かう傾斜面であり、一対の上面２８は互いに平行で面一である。上面２８には後述するスペーサ３０の透孔４４に嵌合される係合突起３２が各一対形成され、また、後述するねじが螺合される図示しない透孔も形成されている。
【００１２】
スペーサ取付部材１８の上面２８には、一枚の板状のスペーサ３０が設けられている。スペーサ３０は、一対の上面２８を覆う形状であり、上面２８に取り付けられたときスペーサ取付部材１８の通過硬貨入口筒２２と反対側の側縁部は、本体１２の内周面に沿う曲線となっている。スペーサ３０の、上面２８側面は平坦面が形成され、上面２８と反対側面には、本体１２に沿うこの曲線の側縁部に対して直交する方向の両側縁部に、その周辺部よりも一段高く形成された一対のガイド部３４が形成されている。一対のガイド部３４の間は、スペーサ３０により硬貨通路３６となって、スペーサ３０を貫通して形成されている。硬貨通路３６の長手方向に対する直角方向の幅は、所定の硬貨、たとえば百円玉の直径にわずかなゆとりを有する幅である。硬貨通路３６の長手方向中央には、硬貨通路３６の所定硬貨より小さい硬貨、たとえば五円玉を落下させる程度の透孔３８が設けられている。透孔３８の形状は、硬貨通路３６の長手方向に沿って長く形成され、長手方向に対してほぼ直角方向の幅は百円玉の直径よりわずかに小さく、五円玉の直径よりわずかに大きく形成されている。透孔３８は硬貨通路３６の、一対のガイド部３４に連続する部分を切り残し、この切り残し部分はヘリ部４０となる。ガイド部３４には、スペーサ取付部１８の上面２８に形成された係合突起３２が嵌合される透孔４４が、係合突起３２に対向する位置に形成されている。透孔４４の近傍には、後述するねじが螺合される透孔４６が設けられている。
【００１３】
そして、スペーサ３０の上には、選別用突起取付部材４８が設けられている。選別用突起取付部材４８は、スペーサ３０のガイド部３４に対向する一対の図示しない取付部が設けられ、この取付部にはスペーサ取付部材１８の係合突起３２が嵌合される透孔が設けられ、係合突起３２がスペーサ３０と選別用突起取付部材４８を貫通して一体に取り付けられている。そしてこの一対の取付部の間、つまりスペーサ３０の硬貨通路３６に対向する部分は、硬貨通路３６を離間して覆う蓋部５０が形成され、蓋部５０の途中には、スペーサ３０の透孔３８に対向する選別用突起５２が形成されている。選別用突起５２は、スペーサ３０の透孔３８の、長手方向中心でやや硬貨通路３６の下流側寄りの位置、つまり通過硬貨入口筒２２に形成されている。そして選別用突起５２の先端面５２ａには、径が小さい半球状の小突起５４が一体に形成されている。選別用突起取付部材４８の蓋部５０に連続して、スペーサ取付部材１８の通過硬貨入口筒２２を覆う板状の覆い部５６が一体に形成されている。
【００１４】
そしてスペーサ取付部材１８の通過硬貨入口筒２２近傍に、硬貨収容部５８が設けられ、コイン投入口１６と硬貨収容部５８の間には、後述する容器６０を取出可能とする図示しない機構が設けられている。
【００１５】
本体１２の下面には、下面の周縁部の一部が切り欠かれて本体１２の内側に貫通するガイド溝６２が形成され、ガイド溝６２には後述する容器６０を取出す操作を行うレバー６４が側方に突出して移動可能に設けられている。レバー６４は、図５において、ガイド溝６２の右端に付勢されて当接されている。ガイド溝６２の左端には、レバー６４を付勢力に反して移動させるとき指をかけて補助する突起６６が側方に突出して設けられている。ガイド溝６２近傍には、ガイド溝６２に沿ってレバー６４の動きを示す矢印６８が取り付けられている。
【００１６】
本体１２の下面には、後述する容器６０が取り出される図示しない取出口が形成され、取出口には取出口から落下する容器６０を受ける受皿７０が設けられている。本体１２の、受皿７０の近傍には、取出口を示す文字７２が記されている。文字７２の上方には、後述する収容室７４のうち、所望の干支や星座に合わせるマークである矢印７６が設けられている。また、矢印７６，６８，文字７２は、連続した絵柄の中に印刷されたものでも良い。
【００１７】
本体１２の上端部１２ａには、本体１２に対して回転可能に取り付けられている収容部材７８が設けられている。収容部材７８は、円筒状の側面８０と、側面８０に一体に形成された１２個の仕切８２とが透明な合成樹脂で一体に形成されている。仕切８２は、側面８０の軸方向に対して平行で内径が小さい円筒形に形成され、１２個の仕切８２は側面８０の内側に沿って一周して並べられている。そして仕切８２の内側は、後述する容器６０を入れる収容室７４となっている。収容室７４の底部には、コイン投入口１６に硬貨が入れられたときレバー６４を操作することにより、後述する容器６０の一つが取出口へ移動する、図示しない機構が設けられている。
【００１８】
そして、収容部材７８の上端部７８ａには、蓋部材８４が取り付けられている。蓋部材８４は浅い皿を伏せたような形状であり、そして蓋部材８４の周縁部には、収容部材７８の１２個の収容室７４に対応して十二支または星座の絵柄８６と十二支または星座を記した文字８８が一つずつ設けられている。また、蓋部材８４は側面８０に対して回転しないように図示しない係止部で係止されている。そして、蓋部材８４と本体１２は、間に収容部材７８を挟んで図示しない一本の軸部材が貫通して取り付けられ、蓋部材８４，収容部材７８，本体１２を一体に保持している。なお、絵柄８６は、本体１２の側面に形成されていても良い。
【００１９】
収容室７４の中には、容器６０が入れられている。容器６０は合成樹脂で形成された球形であり、球形を二分割した形状の二つの側面部材６０ａ，６０ｂが互いに係合して組み立てられている。容器６０の配色は、例えば一方の側面部材６０ａは他の容器６０と共通の白色であり、他方の側面部材６０ｂは、異なる１２種の色のうち一つが付けられている。そして、容器６０の内側には、運勢を記した紙片がロール状に丸められて入れられている。また一つの収容室７４には、同じ色の側面部材６０ｂを使用して組み立てられた容器６０が入れられ、干支ごとまたは星座ごとに色分けされている。
【００２０】
次に、この実施形態の占いゲーム機１０の使用方法及び硬貨識別装置の動作について説明する。まず、蓋部材８４をまわして蓋部材８４と一体の収容部材７８を、本体１２に対して回転させ、所望の干支または星座の絵柄８６が取り付けられた収容室７４を、本体１２の矢印７６に合わせる。そしてコイン投入口１６に所定の金額の硬貨５８を投入する。硬貨５８は、例えば百円玉である。そして、図２に示すように、スペーサ３０の硬貨通路３６を、透孔３８から落ちることなく、硬貨５８の両側縁部をヘリ部４０に保持されながら通過し、通過硬貨入口筒２２に落下する。次に、レバー６４をガイド溝６２に沿って動かすと、本体１２の取出口から、選択した干支または星座の、収容室７４内に入れられ一番下に位置していた容器６０が出され、受皿７０に落下する。そしてこの容器６０の側面部材６０ａ、６０ｂを開き、中に入っている紙片の運勢を読んで占う。
【００２１】
また、コイン投入口１６に、所定の硬貨５８、例えば百円玉以外の硬貨を入れようとする場合、百円玉よりも直径が大きい十円玉や五百円玉はコイン投入口１６やスペーサ３０の硬貨通路３６に入らず、排除される。また、百円玉より小さい硬貨、例えば一円玉や五十円玉は、スペーサ３０の硬貨通路３６を通過中に、その周縁部の一部がヘリ部４０から外れて透孔３８に落下する。落下した硬貨は、排出斜面２４に沿って落ち、本体１２の下端部に形成された返却口９０から外に出て排除される。そして、百円玉と大きさがきわめて近い硬貨９２、例えば百円玉より直径がわずかに０．５ｍｍ程度小さい５円玉は、静かにコイン投入口１６に入れた場合は、スペーサ３０の硬貨通路３６を通過中に、その周縁部の一部がヘリ部４０から外れて透孔３８から落下する。しかし勢いよく投入された場合は、ヘリ部４０から少し浮いた状態で硬貨９２が透孔３８上を通過しようとするが、図３に示すようにまず硬貨９２の先端の側縁部が選別用突起５２の先端面５２ａの角部や小突起５４にあたり、図３において右回りに傾斜する。さらに硬貨９２の中央に設けられている貫通した穴の内壁が、選別用突起５２の先端面５２ａの角部や小突起５４に当たり、さらに硬貨９２を右回りに回動させ、硬貨９２の通過速度を落とし、硬貨通路３６から透孔３８に落下させる。透孔３８に落下した硬貨９２は、排出斜面２４に沿って落下し、返却口９０から本体１２の外側に排除される。
【００２２】
この実施形態の占いゲーム機１０の硬貨識別装置によれば、簡単な構造で、大きさがわずかに異なる硬貨を確実に識別し、所定以外の硬貨を排出することができる。例えば直径が近い百円玉と五円玉を確実に識別し、五円玉を排除することができる。
【００２３】
なお、この実施形態の硬貨識別装置は上記実施の形態に限定されるものではなく、各部材の形状等を自由に変更することができる。また、硬貨を識別する機構はコインロッカー、コインランドリー、ゲーム機等に利用することもできる。
【００２４】
【発明の効果】
この発明は、簡単な構造で、大きさがわずかに異なる硬貨を確実に識別し、所定以外の硬貨を排出することができる。また、硬貨を水平方向に投入することにより、装置の小型薄型化を可能とする。
【図面の簡単な説明】
【図１】  この発明の一実施形態の占いゲーム機の縦断面図である。
【図２】  この実施形態の占いゲーム機の硬貨識別装置の拡大縦断面図である。
【図３】  この実施形態の占いゲーム機の硬貨識別装置の拡大縦断面図である。
【図４】  この実施形態の占いゲーム機の硬貨識別装置のスペーサとスペーサ取付部材の平面図である。
【図５】  この実施形態の占いゲーム機の斜視図である。
【符号の説明】
１０  占いゲーム機
１２  本体
１４  脚部
１６  硬貨投入口
１８  スペーサ取付部材
２２  通過硬貨入口筒
２４  排出斜面
３０  スペーサ
３６  硬貨通路
３８  透孔
４０  ヘリ部
４８  選別用突起取付部材
５０  蓋部
５２  選別用突起
５４  小突起
５８  硬貨収容部
６０  容器
６２  ガイド溝
６４  レバー
７４  収容室
７８  収容部材
８４  蓋部材
９０  返却口
【図１】
0004673999.tif 000002
【図２】
0004673999.tif 000003
【図３】
0004673999.tif 000004
【図４】
0004673999.tif 000005
【図５】
0004673999.tif 000006